(57)【特許請求の範囲】
【請求項１】
スイッチング方式の安定器を備えた電子式安定器のフィードバック制御装置において、
安定器に接続されたランプの数を検出するランプ数感知手段と、
前記ランプ数感知手段より検出されたランプ数に対応する基準電圧を生成する基準電圧発生部と、
予熱周期、放電周期及び放電維持周期に従って、予熱周期の間には一定電流を、放電周期の間には比例的に減少する電流を、放電維持周期の間には零電流を生成し、かつ前記ランプ数感知手段で検出されたランプ数に対応する大きさの電流命令を生成するソフト・スタート制御手段と、
安定器に流れる電流と安定器に印加される直流リンク電圧の入力とを受けてフィ−ドバックのための電流を生成した後、これを前記ソフト・スタート制御手段より生成された電流命令と合算する第１フィードバック手段と、
前記第１フィードバック手段によって合算された電流を電圧に変換して前記基準電圧発生部より生成された基準電圧と変換された電圧とを合算して誤差電圧を生成した後、この誤差電圧を電流に変換して出力する第２フィードバック手段と、
前記第２フィードバック手段で出力される電流と直流リンク電圧からフィード・フォワードされた電流とを合算した後、合算された電流から安定器の駆動信号の制御周波数を決定する主制御手段からなることを特徴とする電子式安定器のフィードバック制御装置。
【請求項２】
請求項１記載の電子式安定器のフィードバック制御装置において、前記ソフト・スタート制御手段は、
大きさが時間に比例する電圧を生成して供給するためのタイム制御器と、
前記タイム制御器で供給される電圧から予熱周期、放電周期及び放電維持周期を区分した後、該当する周期に従って前記ランプ数感知手段より検出されたランプ数に対応する大きさの電流命令を生成するソフト・スタート制御器より構成されることを特徴とする電子式安定器のフィードバック制御装置。
【請求項３】
請求項１記載の電子式安定器のフィードバック制御装置において、前記主制御手段は、
安定器に供給される直流リンク電圧をフィード・フォワードさせるためのインダクタ回路と、
前記第２フィードバック手段より出力される電流と前記インダクタ回路のフィード・フォワードされた電流とを合算した後、合算された電流から安定器の駆動信号の制御周披数を決定する制御ブロックからなることを特徴とする電子式安定器のフィードバック制御装置。
【請求項４】
請求項１記載の電子式安定器のフィードバック制御装置において、前記第１フィードバック手段は、
安定器に流れる電流と直流リンク電圧とを掛算演算をしてフィードバックのための電流を生成するための掛算器と、
前記掛算器より出力されるフイードバックのための電流と前記ソフト・スタート制御手段より生成された電流命令とを合算する足し算器より構成されることを特徴とする電子式安定器のフィードバック制御装置。
【請求項５】
請求項１または４記載の電子式安定器のフイードバック制御装置において、前記第２フィードバック手段は、
前記第１フィードバック手段より出力される電流を電圧に変換するための電流／電圧変換器と、
前記基準電圧発生部の基準電圧から前記電流／電圧変換器より出力される電圧を減算して誤差電圧を生成するための足し算器と、
前記足し算器より出力される誤差電圧を電流に変換するための電圧／電流変換器より構成されることを特徴とする電子式安定器のフイードバック制御装置。
【請求項６】
請求項１記載の電子式安定器のフィードバック制御装置において、前記ランプ数感知手段は、
ランプのセンシング電圧を内部基準電圧と比較してランプの接続可否を感知するためのｎ個の比較器と、
ｎ個の比較器の出力電圧を合成して前記ソフト・スタート制御手段と基準電圧発生部に出力するための合成部より構成されることを特徴とする電子式安定器のフィードバック制御装置。
【請求項７】
請求項２記載の電子式安定器のフィードバック制御装置において、前記ソフト・スタート制御器は、
回路内部にｎ個の分配電流を供給するための電流供給手段と、
前記ランプ数感知手段の出力電圧によって各々の動作が開始され、タイム制御器から入力される時間に比例する電圧に対応して予熱周期の間には−定電流を生成し、放電周期の間には比例的に減少する電流を生成し、放電維持周期の間には零電流を生成するように各々動作するｎ個のセルより構成されることを特徴とする電子式安定器のフィードバック制御装置。
【請求項８】
請求項７記載の電子式安定器のフィードバック制御装置において、電流供給手段は、
電流を生成するための電流源と、
ミラーあるいはレンズ方式によって前記電流源より生成された電流をｎ個の分配電流として前記ｎ個のセルに供給するためのトランジスタより構成されることを特徴とする電子式安定器のフィードバック制御装置。
【請求項９】
請求項７または８記載の電子式安定器のフィードバック制御装置において、前記ｎ個のセルの各々は、
前記電流供給手段による分配電流をコレクタに流すための第１トランジスタと、
ベース及びコレクタが互いに接続され、コレクタが前記第１トランジスタのコレクタと接続される第２トランジスタと、
ベースが前記第２トランジスタのべースと接続され、コレクタに分配電流による電流が流れるようにする第３トランジスタと、
ベースに放電周期を決定するための比較電圧が印加され、コレクタからセルの電流命令が出力され、エミッタが前記第３トランジスタのコレクタと接続される第４トランジスタと、
エミッタが抵抗を介して第３トランジスタのコレクタと接続され、コレクタは第１トランジスタのエミッタと接続され、ベースには前記タイム制御器の時間に比例する電圧が印加される第５トランジスタと、
ベースに前記ランブ数感知手段の出力電圧が印加され、前記第３トラジスタのべースとエミッタにコレクタとエミッタが各々接続されるようにして前記ランプ数感知手段の出力電圧に従って前記第３トランジスタのターン・オンおよびターン・オフを制御するための第６トランジスタより構成されることを特徴とする電子式安定器のフィードバック制御装置。
【請求項１０】
請求項３記載の電子式安定器のフィードバック制御装置において、前記制御ブロックは、
前記第２フィードバック手段より出力される電流を積分するための積分器と、
前記積分器の積分によって生成された電圧に対応する電流を生成するための電圧制御電流源と、
前記インダクタ回路のフィード・フォワードされた電流と内部より生成された基準電圧を合算した後、前記電圧制御電流源より出力される電流を前記合算された電流から減算して全体電流を生成するための加減器と、
前記加減器で出力される電流を充電して内部基準電圧で比較して、比較された波形を分周して安定器のスイッチング素子を駆動させるための信号を生成するためのオシレータ及び駆動回路より構成されることを特徴とする電子式安定器のフィードバック制御装置。
【発明の詳細な説明】
【０００１】
【発明の属する技術分野】
本発明は電子式安定器のフィードバック制御装置に関するもので、より詳しく言うと、蛍光ランプ等の安定器を制御するための集積回路に適用される燈感知機能を持つ電子式安定器のフィードバック制御装置に関するものである。
【０００２】
【従来の技術】
既存の一般的な電子式安定器を説明する。図９は、一般的な電子式安定器の詳細回路図である。図９で図示されているように、一般的な電子式安定器は、直列に接続された２つのスイッチングトランジスタＭ１，Ｍ２と、このスイッチングトランジスタＭ１，Ｍ２の各々に並列に接続されたダイオードＤ１，Ｄ２と、同様にスイッチングトランジスタＭ１，Ｍ２の各々に並列に接続されたコンデンサＣ１，Ｃ２と、スイッチングトランジスタＭ１，Ｍ２の２つに対して並列に接続された直列接続のコンデンサＣ４，Ｃ５と、コンデンサＣ１，Ｃ２の中間接続点とコンデンサＣ４，Ｃ５の中間接続点間に直列に接続されたインダクタＬｒ及びランプＬａからなり、ランプＬａの両極間にはコンデンサＣ３が接続される。
【０００３】
このように構成された電子式安定器はスイッチング方式のＬＣ共振型のコンバ−タであって、スイッチングトランジスタＭ１，Ｍ２はゲートに印加される駆動信号０ｕｔ１，０ｕｔ２によってスイッチングされてランプＬａに流れる電流経路を制御し、直流リンク電圧Ｅによる電流が定められた電流経路を通じて流れる。そして、スイッチングトランジスタＭ１，Ｍ２のオン・オフ周波数をスイッチチング周波数とし、このスイッチング周波数を制御することによって安定器が初期予熱モード、瞬間放電モード、放電維持モードで動作するようにできる。
【０００４】
なお安定器固有のＬＣ共振周披数を言及するに当たって、ＬはインダクタＬｒのインダクタンスであり、ＣはコンデンサＣｌ〜Ｃ５の合成キャパシタンスである。また、この電子式安定器で、スイッチング周波数がＬＣ共振周波数より高く制御されると、スイッチング周波数が安定器システムの入力電力に反比例する特性を持つ。従って、放電維持のための１００％入力電力に対する周波数に比べて予熱時のスイッチング周波数は相対的に高くすべきである。
【０００５】
ところで、従来の電子式安定器の制御システムとしてソフト・スタート方式が知られており、ソフト・スタート方式には入力電源を感知するフィード・フォワード（ｆｅｅｄ  ｆｏｒｗａｒｄ）を用いた方式と一定の駆動周波数をセッティングするようにプログラムした方式とがある。
【０００６】
【発明が解決しようとする課題】
しかし、このようなソフト・スタート方式は、入力電圧の激しい変動などの外部環境の変化に対して正確に制御できない欠点を有している。又、燈の数の変化に伴う負荷変動に対して適切に制御できないし、フィード・フォワードが適切に調節できないとソフト・スタート動作を行うことができないことが発生する場合がある。それ故に、ランプの有無、或いは燈の数を感知するメカニズムでは、変化される媒介変数がより多くなるので、制御が不確実になることがある。
【０００７】
【課題を解決するための手段】
本発明は上述の課題を解決するために、スイッチング方式の安定器を備えた電子式安定器の制御装置において、安定器に接続されたランプの数を検出するランプ数感知手段と、このランプ数感知手段より検出されたランプ数に対応する基準電圧を生成する基準電圧発生部と、予熱周期、放電周期及び放電維持周期に従って、前記ランブ数感知手段で検出されたランプ数に対応する大きさの電流命令を生成するソフト・スタート制御手段と、安定器に流れる電流と安定器に印加される直流リンク電圧の入力を受けてフィ−ドバックのための電流を生成した後、これを前記ソフト・スタート制御手段より生成された電流命令と合算する第１フィードバック手段と、この第１フィードバック手段によって合算された電流を電圧に変換して前記基準電圧発生部より生成された基準電圧と変換された電圧を合算して誤差電圧を生成した後、この誤差電圧を電流に変換して出力する第２フィードバック手段と、この第２フィードバック手段で出力される電流と直流リンク電圧からフィード・フォワードされた電流を合算した後、合算された電流から安定器の駆動信号の制御周波数を決定する主制御手段からなる電子式安定器のフィードバック制御装置とする。
【０００８】
【発明の実施の形態】
次に添付図面を参照して本発明による電子式安定器のフィードバック制御装置の実施の形態を詳細に説明する。図１は、本発明の実施の形態に従う電子式安定器のフィードバック制御装置のブロック図である。図１で図示されているように、本発明の実施の形態に従う電子式安定器のフィードバック制御装置は、ランプＬｐが接続された安定器１と、ｎランプ感知器５と、ｎランプ感知器５の出力信号ｎを入力とする基準電圧発生部６と、ｎランプ感知器５の出力信号ｎを入力とするタイム制御器４１を具備したソフト・スタート制御器４と、安定器１の直流リンク電圧Ｅとフィードバック電流ｎｉｆｂの入力を受ける掛算器２１と、ソフト・スタート制御器４と掛算器２１の出力信号の入力を受ける足し算器２２と、足し算器２２の出力電流ｉｍｏｌの入力を受ける電流／電圧変換器２３と、基準電圧発生部６の出力電圧ｎＶｒｅｆと電流／電圧変換器２３の出力電圧ｖｍｏの入力を受ける足し算器２４と、足し算器２４の出力誤差電圧Ｖｅｒｒの入力を受ける電圧／電流変換器２５と、電圧／電流変換器２５の出力電流Ｉｉｎとインダクタ回路３１の出力電流ｉｅの入力を受けて駆動信号を生成した後、生成された駆動信号を安定器１に出力する制御ブロック３より構成されている。
【０００９】
次に、このように構成された図１の電子式安定器のフィードバック制御装置の動作を説明する。安定器１に印加される直流リンク電圧Ｅと安定器１に実際流れる電流のフィードバック電流ｎｉｆｂは掛算器２１に入力される。掛算器２１は２つの入力を掛けて出力電流ｉｍｏを生成し、これを数式で表現すると、ｉｍｏ＝ｋｍ×ｎｉｆｂ×Ｅになる。ここで、ｋｍは掛算常数である。掛算器２１の出力電流ｉｍｏは足し算器２２に入力される。
【００１０】
ｎランプ感知器５は、安定器ｌに接続されたランプＬｐの数を検出して電圧の形の出力信号ｎを基準電圧発生部６とソフト・スタート制御器４とに出力する。基準電圧発生部６は、ｎランプ感知器５の出力信号ｎよリランプの数に対応する基準電圧ｎＶｒｅｆを生成し、この基準電圧ｎＶｒｅｆは安定器１の入力電力を決定するための基準として使われる。基準電圧ｎＶｒｅｆは足し算器２４に入力される。
【００１１】
ソフト・スタート制御器４は、ｎランプ感知器５の出力信号ｎとタイム制御器４１の出力信号の入力を受けて時間及びランプの数に対応する電流命令信号ｎｉｐを生成し、これを足し算器２２に出力する。前記タイム制御器４１は、ソフト・スタート制御器４に、時間に比例する電圧を出力する。ソフト・スタート制御器４は、出力される電流命令信号ｎｉｐの大きさが、時間によって予熱周期、瞬問放電周期、放電維持周期より要求される量を持つように制御する。これに関しては後でより詳しく説明する。
【００１２】
足し算器２２はソフト・スタート制御器４の電流命令信号ｎｉｐと掛算器２１の出力電流ｉｍｏを合算した後、合算された出力電流ｉｍｏｌを電流／電圧変換器２３に出力する。電流／電圧変換器２３は入力された電流ｉｍｏｌを電圧ｖｍｏに変換して足し算器２４に出力する。足し算器２４は基準電圧発生部６より出力される基準電圧ｎＶｒｅｆと電流／電圧変換器２３より出力された電圧ｖｍｏの入力を受けて基準電圧ｎＶｒｅｆから電圧ｖｍｏを減算する演算を行って誤差電圧Ｖｅｒｒを電圧／電流変換器２５に出力する。電圧／電流変換器２５は伝達コンダクタンスＧｍが誤差増幅器で具現できるし、入力電圧（誤差電圧Ｖｅｒｒ）を電流Ｉｉｎに変換させた後、制御ブロック３に出力する。
【００１３】
制御ブロック３は、インダクタ回路３１で直流リンク電圧Ｅをフィード・フォワードさせて得られた電流ｉｅと電圧／電流変換器２５より出力される電流Ｉｉｎの入力を受けて安定器１の駆動信号ｆｌを生成し、これを安定器１に出力する。制御ブロック３は駆動信号ｆｌの制御周波数を決定することによって安定器１の内部スイッチング素子が駆動信号ｆｌの周波数に従ってスイッチングされるようにする。
【００１４】
制御ブロック３の詳細を図２を参照して説明する。制御ブロック３は、入力電流Ｉｉｎを積分する積分器３１１と、積分によって生成された電圧Ｖｉｎを入力とする電圧制御電流源３１２と、この電圧制御電流源３１２より出力された電流ｉ１と内部で生成された基準電流Ｉｒｅｆとインダクタ回路３１でフィード・フォワードされた電流ｉｅを加減して全体電流ｉｔを生成する加減器３１３と、この加減器３１３で生成された全体電流ｉｔから安定器１の駆動信号ｆ１を生成するオシレータ及び駆動回路３１４より構成される。オシレータ及び駆動回路３１４はコンデンサＣｔを有する。
【００１５】
このように構成された制御ブロックの動作を説明する。電圧／電流変換器２５より生成された電流Ｉｉｎは積分器３１１に入力されることによって積分され、この積分によって電圧Ｖｉｎが生成される。積分器３１１による電圧Ｖｉｎは電圧制御電流源３１２に入力されて、電圧制御電流源３１２では電圧Ｖｉｎの大きさに対応する電流ｉ１が生成される。電圧制御電流源３１２で生成された電流ｉ１は加減器３１３に入力される。この加減器３１３にはその他にインダクタ回路３１の出力電流ｉｅと制御ブロック３の内部で生成された基準電流Ｉｒｅｆが入力される。そして、加減器３１３では、インダクタ回路３１の出力電流ｉｅと基準電流Ｉｒｅｆが加算されるし、電圧制御電流源３１２で生成された電流ｉ１は減算される。
【００１６】
このような演算によって加減器３１３の出力では全体電流ｉｔが生成されて、この電流ｉｔはオシレータ及び駆動回路３１４に出力される。すると、オシレータ及び駆動回路３１４は全体電流ｉｔをコンデンサＣｔに充電するようにして駆動信号ｆ１を生成して、特に駆動信号ｆｌの制御周波数を決定する。そして、この駆動信号ｆ１の制御周波数が電子式安定器システムの入力電力を決定し、決定された入力電力は安定器１のフィードバック電流ｎｉｆｂに比例するようになって図１の制御システム全体がフィードバック制御になる。
【００１７】
図１の装置において、基準電圧発生部６からの基準電圧ｎＶｒｅｆが電子式安定器システムの入力電力を決定する基準として使われることは既に説明した。電流／電圧変換器２３より出力される電圧ｖｍｏは基準電圧ｎＶｒｅｆと同様になるように、電圧ｖｍｏを決定する因子であるフィードバック電流ｎｉｆｂと直流リンク電圧Ｅとが制御される。従って、ソフト・スタート制御器４からの電流命令信号ｎｉｐの電流量が増加すると、掛算器２１の出力電流ｉｍｏは減少するようになり、いま直流リンク電圧Ｅが一定であるならば、フィードバック電流ｎｉｆｂが減少する。フィードバック電流ｎｉｆｂの減少は電子式安定器の消費電力を減少させるように制御ブロック３の駆動信号ｆｌの制御周彼数が制御されることを意味する。
【００１８】
図１の装置は、ランプを予熱させる初期スタートの時から制御を開始する。初期スタート時は、ソフト・スタート制御器４より出力される電流命令信号ｎｉｐの電流量を増加させフィードバック電流ｎｉｆｂの電流量を減少させることにより、ランプＬｐを放電されない状態で駆動して予熱作用をする。その後、一定時間予熱を終えると、電流命令信号ｎｉｐの電流量を減少させて放電に必要な電力になるようにフィードバック電流ｎｉｆｂを制御して放電維持区間の間、電流命令信号ｎｉｐの電流量を零に持っていくようにする。このようにすることにより、予熱と放電及び放電維持が連続的にフィードバック制御され、電子式安定器システムが最適制御されるようになる。
【００１９】
図３はソフト・スタート制御器４の電流制御図であり、図４は図３の電流制御時の電力変化図である。図３で図示されているように、ソフト・スタート制御器４の電流命令信号ｎｉｐはランプの数によって電流命令信号ｎｉｐの大きさが同間隔で変化し、対応して図５では電力が同間隔に変化していることが図示されている。
【００２０】
また、両図から分かるように、ソフト・スタート制御器４の電流命令信号ｎｉｐを予熱周期の電流量として制御すると電子式安定器のシステム電力ｎＷｐはこれに対応する量として制御され、予熱周期後に放電周期になると、電流命令信号ｎｉｐはマイナス斜めに減少するように制御されて、システム電力ｎＷｐは反対にプラス斜めに増加するように制御される。この放電周期の間、電流命令信号ｎｉｐの電流がマイナス斜めに制御されることはランプの放電瞬間電力を十分に供給するよう制御するためのものである。そして、電流命令信号ｎｉｐの電流量が零になると予熱周期と放電周期が完全に終わり放電維持周期になる。この時の電力は電子式安定器システムの最適制御電力になるようにする。
【００２１】
図５および図６には、ソフト・スタート制御器４の詳細回路図及び電流流れ図が図示されている。図５で示されるように、ソフト・スタート制御器４は、ｎ個のセル４１１〜４１ｎと、各セルに電流を供給するための電流源４２及びトランジスタＱ７より構成される。電流源４２とトランジスタＱ７は電流ミラー或いは電流レンズ方式で各セルに電流を供給する。
【００２２】
セル４１１を例に取り上げてセルの詳細を説明する。セル４１１はトランジスタＱ６を有する。このトランジスタＱ６はべースがトランジスタＱ７のベースと接続され、エミッタがトランジスタＱ７のエミッタと接続され、エミッタ・コレクタ電流は電流源４２によってトランジスタＱ７のエミッタ・コレクタ電流と比例する。トランジスタＱ６のコレクタには、ベースとコレクタが接続されたトランジスタＱ５のコレクタが接続され、トランジスタＱ５のエミッタは電流源４２と接続される。
【００２３】
トランジスタＱ５のべースにはトランジスタＱ３のベースが接続され、トランジスタＱ３のベースとエミッタとの間には、ベースにｎランプ感知器５の出力電圧が印加されるトランジスタＱ４のコレクタとエミッタが接続される。したがって、ｎランプ感知器５の出力電圧によってトランジスタＱ４がターン・オンになることによってトランジスタＱ３がターン・オンになることもある。また、トランジスタＱ３とトランジスタＱ５はミラー或いはレンズの関係にあるので、トランジスタＱ６のコレクタに流れる電流の大きさに比例する電流がトランジスタＱ３のコレクタに流れる。トランジスタＱ３およびトランジスタＱ４のエミッタは電流源４２に接続されている。トランジスタＱ３のコレクタには、ベースに−定電圧（比較電圧）Ｖｒ２が印加され、コレクタは足し算器２２と接続されたトランジスタＱ２のエミッタが接続されるとともに、ベースにタイム制御器４１の出力電圧Ｖｃｓが供給され、コレクタはトランジスタＱ６のエミッタと接続されたトランジスタＱ１のエミッタが抵抗Ｒ１を介して接続される。
【００２４】
このような構成のセルにおいては、トランジスタＱ２のコレクタ電流が出力電流として足し算器２２に供給され、タイム制御器４１の時間に比例する電圧ＶｃｓがトランジスタＱ１のべースに入力され、該当セル４１１の動作可否を決定する為のｎランプ感知器５の出力電圧がトランジスタＱ１のベースに入力される。また、トランジスタＱ１のコレクタ電流ｉｐ３とトランジスタＱ２のコレクタ電流ｉｐ２の和がトランジスタＱ３のコレクタ電流ｉｐ１と同じ量であり、トランジスタＱ３のコレクタ電流の大きさは電流源４２によって決定される。
【００２５】
このようなセルにおいては、まず、２つのトランジスタＱ６、Ｑ７及び２つのトランジスタＱ３、Ｑ５のミラー或いはレンズ関係で電流源４２によって決定された電流ｉｐ１がトランジスタＱ３のコレクタに流れる。この時、ｎランプ感知器５の出力電圧によってトランジスタＱ４がターン・オンになって、これによって２つのトランジスタＱ３、Ｑ５も又ターン・オンになる。
【００２６】
次に、タイム制御器４１の電圧Ｖｃｓが時間に比例して増加し、トランジスタＱ２のベースに印加される電圧Ｖｒ２に至るようになると、トランジスタＱ１がターン・オンになり始める。この時が図６での時間ｔ１に該当する。時間ｔ１以前にはトランジスタＱ１がターン・オフになった状態であるので、トランジスタＱ３のコレクタ電流ｉｐ１はトランジスタＱ２のコレクター電流ｉｐ２とほぼ同様である。
【００２７】
時間ｔ１以後にはトランジスタＱ１のコレクタ電流ｉｐ３が比例的に増加し、トランジスタＱ２のコレクタ電流ｉｐ２は比例的に減少する。この時、電流ｉｐ３の増加の割合である図６の斜めの変化は抵抗Ｒ１の大きさによって決定され、抵抗Ｒ１の大きさが大きいほど斜めが緩くなる。その後、時間が流れてトランジスタＱ１のコレクタ電流ｉｐ３がトランジスタＱ３のコレクタ電流ｉｐ１とほぼ同様になると、トランジスタＱ２のコレクタ電流ｉｐ２は零になる。この時が図６での時間ｔ２に該当する。そして、このようにして電流命令ｉｐであるトランジスタＱ２のコレクタ電流ｉｐ２を制御することによって電子式安定器が予熱−放電−放電維持の順番で連続的に制御されるようにすることができる。
【００２８】
図７では、ｎランプ感知器５の詳細な構成が図示されている。図７に図示されているように、ｎランプ感知器５はランプの一つの燈当りに一つの比較器５１が接続されており、各比較器５１の基準電圧Ｖより低いセンシング電圧が入力されると、該当する比較器５１の出力端から電圧Ｖｌａｍｐが出力される。各比較器５１の出力電圧は合成部５２によって合成されて燈の数に合う電圧ｎｖｌａｍｐを基準電圧発生部６とソフト・スタート制御器４に供給する。そして、ソフト・スタート制御器４を例として取上げると、いま、３つの燈があるとすれば、合成部５２で３Ｖｌａｍｐの電圧がソフト・スタート制御器４に入力されて、ソフト・スタート制御器４内の３つのセルの各々にｖｌａｍｐの電圧が供給される。従って、ソフト・スタート制御器４内の該当する三つのセルが動作可能になる。
【００２９】
図８では、図２に示されている制御ブロック３の各部の詳細な波形図が示されている。図８の（Ａ）に図示されたのはオシレータ及び駆動回路３１４に接続されたコンデンサＣｔに充電される電圧波形であり、図８の（Ｂ）に図示されたのはオシレータ及び駆動回路３１４内部の比較器の出力電圧の波形であり、図８の（Ｃ）及び（Ｄ）は駆動信号０ｕｔ１、０ｕｔ２としてオシレータ及び駆動回路３１４より生成されて安定器１内のスイッチング素子ゲートに印加される電圧波形である。
【００３０】
図８の（Ａ）に図示された△ＶはコンデンサーＣｔで生成される鋸波の大きさであり、全体電流ｉｔ、鋸波の大きさ△Ｖ、制御ブロック３で生成される駆動信号の制御周波数ｆ１及びコンデンサのキャパシタンスＣｔとの関係は下記の数式で表わす。
２×ｆ１＝ｉｔ／Ｃｔ×△Ｖ
この式を通して制御周波数ｆ１は全体電流ｉｔの大きさに比例することが分かる。また、図８の（Ａ）に点線で表示されたレベルはオシレータ及び駆動回路３１４の内部比較器の基準電圧であり、この基準電圧と図８の（Ａ）に図示された波形とを比較することによって図８の（Ｂ）のような比較器の出力波形が得られる。さらに、図８の（Ｂ）に図示された比較器の出力波形はオシレータ及び駆動回路３１４内部のフリップフロップにより分周されて図８の（Ｃ）及び（Ｄ）に図示された通りの安定器１を駆動するための信号となる。図８の（Ｃ）及び（Ｄ）に図示された波形は一つの段を基準として周波数がｆ１になる。
【００３１】
なお、図１においては、掛算器２１と足し算器２２で第１フィードバック手段が構成されており、電流／電圧変換器２３と足し算器２４ならびに電圧／電流変換器２５で第２フィードバック手段が構成されている。また、インダクタ回路３１と制御ブロック３で主制御手段が構成され、タイム制御器４１とソフト・スタート制御器４でソフト・スタート制御手段が構成されている。
【００３２】
【発明の効果】
このように本発明の電子式安定器のフィードバック制御装置によれば、安定器に流れる電流と安定器に印加される直流リンク電圧からフィードバックのための信号を生成するとともに、ソフト・スタート制御手段と基準電圧発生部に燈感知の機能を持たせ、このソフト・スタート制御手段および基準電圧発生部からの信号ならびに前記フィードバックのための信号との演算結果から安定器の駆動信号の制御周波数を決定するようにしたので、入力電圧の変動または燈の数の変化に伴う負荷条件の変化に対しても電子式安定器を正確に制御することができる。
【図面の簡単な説明】
【図１】本発明による電子式安定器のフィードバック制御装置の実施の形態を示すブロック図。
【図２】図１の装置に設けられた制御ブロックの詳細回路図。
【図３】図１の装置に設けられたソフト・スタート制御器による電流制御を示す特性図。
【図４】図３の電流制御時の電力変化を示す特性図。
【図５】図１の装置に設けられたソフト・スタート制御器の詳細回路図。
【図６】図５のソフト・スタート制御器の電流の流れを示す特性図。
【図７】図１の装置に設けられたｎランプ感知器の詳細回路図。
【図８】図２の制御ブロックの各部の詳細な波形図。
【図９】一般的な電子式安定器の詳細回路図。
【符号の説明】
Ｌｐ  ランプ
１  安定器
３  制御ブロック
４  ソフト・スタート制御器
５  ｎランプ感知器
６  基準電圧発生部
２１  掛算器
２２  足し算器
２３  電流／電圧変換器
２４  足し算器
２５  電圧／電流変換器
３１  インダクタ回路
４１  タイム制御器
３１１  積分器
３１２  電圧制御電流源
３１３  加減器
３１４  オシレータ及び駆動回路
Ｃｔ  コンデンサ
４１１〜４１ｎ  セル
４２  電流源
Ｑ１〜Ｑ７  トランジスタ
５１  比較器
５２  合成部
【図１】
0003903394.tif 000002
【図２】
0003903394.tif 000003
【図３】
0003903394.tif 000004
【図４】
0003903394.tif 000005
【図５】
0003903394.tif 000006
【図６】
0003903394.tif 000007
【図７】
0003903394.tif 000008
【図８】
0003903394.tif 000009
【図９】
0003903394.tif 000010